(57)【要約】【課題】ディスプレイをテーブルに固定でき、かつテーブル間での移動を可能にするコンパクトなディスプレイ用スタンドを提供する。【解決手段】ディスプレイ用スタンド１は、脚部１１の下端に、床ＦＬに当接するキャスタ１２と足部１３とを備えたスタンド部１０と、脚部１１の上下方向の適所に取付けられた、テーブルに固定するテーブル固定部２０と、テーブル固定部２０に設けられた、ディスプレイＤを支持するディスプレイ支持部４０とを備えている。【選択図】図１
2018097041.tif 000002
【特許請求の範囲】
【請求項１】
側面視で１軸形状を有する脚部の下端に、床面に当接するキャスタと足部とを備えたスタンド部と、
前記脚部の上下方向の適所であって、側面視で前記足部の延びる側に取付けられた、テーブルに固定するテーブル固定部と、
前記テーブル固定部に設けられた、ディスプレイを支持するディスプレイ支持部とを備えたディスプレイ用スタンド。
【請求項２】
前記脚部は、側面視で前記キャスタ側に傾倒されてなり、前記ディスプレイを支持した状態での全体の重心位置は、側面視で前記キャスタと前記足部の先端との間に設定されていることを特徴とする請求項１に記載のディスプレイ用スタンド。
【請求項３】
前記スタンド部と前記テーブル固定部とを着脱可能に取付ける取付部材を備えたことを特徴とする請求項１又は２に記載のディスプレイ用スタンド。
【請求項４】
前記取付部材は、前記スタンド部と前記テーブル固定部との取付け位置を高さ方向に調整するものである請求項３に記載のディスプレイ用スタンド。
【請求項５】
前記脚部は柱状体であり、前記取付部材は、前記脚部を軸周りに回動可能であることを特徴とする請求項３又は４に記載のディスプレイ用スタンド。
【請求項６】
前記脚部は板状体であり、前記キャスタは、前記板状体の左右２箇所に設けられていることを特徴とする請求項１〜４のいずれかに記載のディスプレイ用スタンド。
【請求項７】
前記テーブルに対して前記ディスプレイ支持部の固定位置及び首振り角度の少なくとも一方を変更する変更部を備えたものである請求項１〜６のいずれかに記載のディスプレイ用スタンド。
【請求項８】
前記脚部は、前記スタンド部が床面に立直された状態で、下端側が前記テーブル固定部側に向けて傾斜された姿勢に設定されていることを特徴とする請求項１〜７のいずれかに記載のディスプレイ用スタンド。
【発明の詳細な説明】
【技術分野】
【０００１】
本発明は、ディスプレイを支持して搬送し、テーブルに着脱自在な取付構造を備えたディスプレイ用スタンドに関する。
【背景技術】
【０００２】
近年、会合や打合せ等では、会議室やミーティングコーナー等に置かれたテーブルの上面、あるいは直ぐ横にプレゼンテーション用のディスプレイを用意し、画面を見ながらミーティングを進めるというケースが一般的になりつつある。ディスプレイは、キャスタ付の支持装置に取付けられて、移動可能にされている。例えば特許文献１には、水平ベース板と、このベース板上に立設された長尺の脚部を備え、その上部にディスプレイが取付けられたディスプレイ支持装置が記載されている。このディスプレイ支持装置は、ベース板の下面にキャスタを備え、床面上を移動自在にされている。
【０００３】
また、特許文献２には、同一形状のラックテーブルとキャスタ支持板とを上下に平行配置し、それらの４隅を長尺の立直脚で支持すると共に、各脚の下部にキャスタを備えると共に、最上部のラックテーブルにディスプレイを固定した移動式のディスプレイ支持装置が記載されている。
【先行技術文献】
【特許文献】
【０００４】
【特許文献１】特開２００１―１５４６０５号公報
【特許文献２】特開２００６―３０３８３５号公報
【発明の概要】
【発明が解決しようとする課題】
【０００５】
特許文献１，２に記載のディスプレイ支持装置は、ディスプレイを一体的に支持する構造であるため、安定性を確保するために構造、主には脚部分が堅牢かつ大掛かりとなり、例えば移動のための前後キャスタを設けた構造となるなどのために、ディスプレイをテーブルの直ぐ横まで移動させた場合、テーブルの下スペースにキャスタ部分が入り込んで、ディスプレイ横に座るメンバーの足の置き場が制限されることがある。
【０００６】
本発明は、前記課題に鑑みてなされたもので、ディスプレイをテーブルに固定可能にすると共に、テーブル間での移動を可能にするコンパクトなディスプレイ用スタンドを提供することを目的とする。
【課題を解決するための手段】
【０００７】
本発明に係るディスプレイ用スタンドは、側面視で１軸形状を有する脚部の下端に、床面に当接するキャスタと足部とを備えたスタンド部と、前記脚部の上下方向の適所であって、側面視で前記足部の延びる側に取付けられた、テーブルに固定するテーブル固定部と、前記テーブル固定部に設けられた、ディスプレイを支持するディスプレイ支持部とを備えたものである。
【０００８】
本発明によれば、スタンド部のキャスタによって、テーブル間を自在に移動させることが可能となる。また、テーブル固定部を介してディスプレイをテーブルに固定することができ、ディスプレイが安定して支持されるため、全体構造をコンパクトにすることが可能となる。また、ディスプレイが安定して支持されるため、例えば３０〜５５インチ又はそれ以上という大サイズのディスプレイ用にも適用可能である。なお、テーブルとは、用途を問わず、各種の卓、台、さらに棚等を含む。
【０００９】
また、前記脚部は、側面視で前記キャスタ側に傾倒されてなり、前記ディスプレイを支持した状態での全体の重心位置は、側面視で前記キャスタと前記足部の先端との間に設定されていることを特徴とするものである。この構成によれば、静止時に自立姿勢が可能になるため、移動途中での一時的な、また保管時の自立姿勢を可能にし、操作性の高いスタンドとなる。
【００１０】
また、本発明は、前記スタンド部と前記テーブル固定部とを着脱可能に取付ける取付部材を備えたことを特徴とするものである。この構成によれば、ディスプレイをテーブルに固定した状態で、必要に応じてスタンド部を取り外すことで、テーブル周りのスペースが有効に活用可能となる。また、その分、ミーティングコーナーの省スペース化が図れる。さらに、スタンド部を取り外した状態では、スタンド部にユーザの脚が不用意に引っかかることがなくなる。
【００１１】
また、前記取付部材は、前記スタンド部と前記テーブル固定部との取付位置を高さ方向に調整するものである。この構成によれば、高さの異なる各種のテーブルにディスプレイを固定することが可能となる。
【００１２】
また、前記脚部は柱状体であり、前記取付部材は、前記脚部を軸周りに回動可能であることを特徴とするものである。この構成によれば、脚部の足部の向き、位置を変えたりすることで、利用者の足の置き場が確保される分、利用しやすくなる。
【００１３】
また、前記脚部は板状体であり、前記キャスタは、前記板状体の左右２箇所に設けられていることを特徴とするものである。この構成によれば、左右方向に対する安定性が高まる。
【００１４】
また、本発明は、前記テーブルに対して前記ディスプレイ支持部の固定位置及び首振り角度の少なくとも一方を変更する変更部を備えたものである。この構成によれば、テーブルのサイズや利用者人数等に適宜に対応させて、ディスプレイの設置位置、向きを調整できるので、テーブルの有効活用や利用の利便性が得られる。
【００１５】
また、前記脚部は、前記スタンド部が床面に立直された状態で、下端側が前記テーブル固定部側に向けて傾斜された姿勢に設定されていることを特徴とするものである。この構成によれば、スタンド部にユーザの脚が不用意に引っかかることが可及的に防がれる。
【発明の効果】
【００１６】
本発明によれば、ディスプレイをテーブルに固定でき、かつテーブル間での移動を可能にするコンパクトなディスプレイ用スタンドを提供する。
【図面の簡単な説明】
【００１７】
【図１】本発明の第１実施形態に係るディスプレイ用スタンドの構成図で、（ａ）は側面図、（ｂ）は背面図である。
【図２】図１のディスプレイ用スタンドとテーブルとの取り付けの関係を示す側面図で、（ａ）はテーブルに取付けた状態の図、（ｂ）はスタンド部が取り外された状態の図である。
【図３】図１のディスプレイ用スタンドの姿勢を示す側面図で、（ａ）は床面に立直静止した状態の図、（ｂ）は搬送中の図である。
【図４】ディスプレイ用スタンドとテーブルとの高さ調整を説明する側面図で、（ａ）はディスプレイ用スタンドのテーブル固定部を下げる際の図、（ｂ）はテーブルとの高さを一致させた状態の図である。
【図５】本発明の第２実施形態に係るディスプレイ用スタンドの構成図で、（ａ）は平面図、（ｂ）はスタンド部を９０度だけ回転させた場合の平面図、（ｃ）はスタンド部の回転前の背面図、（ｄ）はスタンド部の構造を示す平面図である。
【図６】ディスプレイとテーブルとの位置関係を説明するための一部側面断面図で、（ａ）はディスプレイが通常位置にある状態の図、（ｂ）はディスプレイがテーブルの端側に寄せられた状態の図である。
【図７】ディスプレイの首振りを説明するための図で、（ａ）は通常姿勢での部分側面図、（ｂ）はディスプレイがテーブル上で、（ａ）に対して垂直軸周りで右に９０度回転した状態の部分側面図、（ｃ）は（ａ）に対して垂直軸周りで左に９０度回転した状態の部分側面図である。
【図８】本発明の第３実施形態に係るディスプレイ用スタンドの構成図で、（ａ）は側面図、（ｂ）は背面図である。
【図９】固定操作部材の他の実施形態を示す構造図である。
【図１０】本発明のディスプレイ用スタンドの変形例を示す側面図で、（ａ）はＰＣ制御部を支持した状態の図、（ｂ）は近距離通信可能な使用例を示す図である。
【発明を実施するための形態】
【００１８】
本発明の第１実施形態に係るディスプレイ用スタンド１は、図１に示すように、上下方向に向けて配置されるスタンド部１０と、スタンド部１０の上下方向の途中位置に取付けられ、固定操作部材３０によってテーブル９１に着脱可能に固定されるテーブル固定部２０と、テーブル固定部２０に取付けられた、ディスプレイＤを支持するディスプレイ支持部４０とを備えている。
【００１９】
スタンド部１０は、図１（ａ）に示すように、側面視で１軸形状を有する脚部１１と、脚部１１の下端部に取付けられ、側面方向と平行な軸に軸支された一対のキャスタ１２と、脚部１１の下部に取付けられ、脚部１１を挟んでキャスタ１２と反対側（図１（ａ）の左側）に延設された足部１３とを有する。
【００２０】
脚部１１は、第１実施形態では、板状に構成されている。すなわち、脚部１１は、所定の間隔を置いて平行に配置された一対の支柱１１ａと、上下方向に所定の間隔を置いて平行配置された、支柱１１ａ間を連結する桟１１ｂ、１１ｃ、１１ｄと、桟１１ｃと桟１１ｄとの間に配置された固定板１１ｅとを備えている。固定板１１ｅには、左右に所定寸法を置いて平行な複数本、ここでは２本の長孔１１ｆが穿設されている。
【００２１】
テーブル固定部２０は、テーブル９１を上下側から挟持して固定するもので、例えば板状体を屈曲して形成され、互いに平行な上板部２１と下板部２３、及びその間の連結板部２２を有する。連結板部２２は、左右方向に所定距離を置いてネジ孔２２ａが形成されている。ネジ孔２２ａは、２本の長孔１１６と対面する位置に形成され、固定板１１ｅを介して、取付部５０を構成するネジ５１を締めたり外したりすることで、テーブル固定部２０とスタンド部１０とを締結したり、取り外したりする。また、テーブル固定部２０は、ネジ孔２２ａが長孔１１ｆと対面する範囲内で、上下方向に、すなわち高さ調整が可能にされている。
【００２２】
テーブル固定部２０の上板部２１には、ディスプレイ支持部４０が取り付けられている。ディスプレイ支持部４０は、テーブル固定部２０の上板部２１に支持される基板部４１と、ディスプレイＤを公知の連結具等を利用して取り付けるための支持部４２とを備えている。基板部４１と支持部４２とは所定の角度に設定されて、ディスプレイＤの画面がほぼ水平に向けられている。
【００２３】
固定操作部材３０は、テーブル固定部２０を板状のテーブル９１に対して取り付けたり、取り外したりするものである。固定操作部材３０は、下板部２３に形成された雌ネジ孔（図示せず）に螺着されるネジ３１と、ネジ３１の頭部の摘み部３２と、先端部（上端部）の押圧板３３とを備えている。摘み部３２を回わすことで、押圧板３３が昇降して、上板部２１と押圧板３３との間の間隙距離が変化し、その間にテーブル９１を挟持したり、緩めたりする（図２参照）。テーブル固定部２０をテーブル９１に固定することで、操作のためにタッチしても、ディスプレイＤが揺れたり、倒れたりすることが防止できる。
【００２４】
図中、ＰＧは、ディスプレイ用スタンド１の水平面内での重心位置を示している。重心位置ＰＧをキャスタ１２と足部１３の先端部１３ａとの間となる、記号Ｌで示す範囲内に設定することで、人手によらず、静止時に自立可能となる。キャスタ１２と足部１３の先端部１３ａとが床ＦＬに当接して、自立姿勢が安定維持される。なお、足部１３は平面ではなく、基部から先端に駆けて下降勾配を有する一方、先端部１３ａ側は上方に湾曲形成されており、これによって、例えば図１（ａ）の左右方向への移動時に、床ＦＬとの間で無用な引っ掛かりを生じないようにしている。
【００２５】
図２（ａ）に示すように、ディスプレイＤ及びスタンド部１０は、締結された状態でテーブル９１に取り付けられている。この状態では、スタンド部１０の足部１３がテーブル９１の下スペースに、またテーブルの脚９２より内側のスペースに入り込んで、会議メンバーの足の置き場が狭められる場合がある。そこで、ディスプレイＤをテーブル９１に取り付けた後、ネジ５１を回して、スタンド部１０をテーブル固定部２０から取り外すことで、図２（ｂ）に示すように、テーブル９１の下スペースが開放される。また、スタンド部１０がテーブル固定部２０から取り外し可能なことで、その分、狭いスペースでもミーティングが可能となる。なお、スタンド部１０の重心位置が、キャスタ１２と足部１３の先端部１３ａとの間に設定されている場合、スタンド部１０のみでも自立姿勢が維持される。
【００２６】
図３は、ディスプレイ用スタンド１の姿勢状態を説明するもので、図１（ａ）で説明したように、全体の重心位置ＰＧ（ａ）が、キャスタ１２と足部１３の先端部１３ａとの間にあることから、静止中自立可能である。移動途中で一時停止する場合でも、手を離すことができる。一方、移動の際には、手ＨＡで脚部１１の上端を把持して、移動方向（図３（ｂ）の矢印参照）に多少傾斜させて引っ張るなどすることで、キャスタ１２によって床ＦＬ上でのスムーズな移動が可能となる。このように移動可能とすることで、テーブル間での移動、あるいは別の会議室へ移動させ、会議を行う予定のテーブルへの取付けが自在に行われ、少ないディスプレイ用スタンド１を各種のミーティング等において有効に活用することができる。なお、この場合にも、先端部１３ａが上向きに屈曲されていることで、例えば床ＦＬにマットが敷設されているときでも、無用な引っ掛かりが抑制される。
【００２７】
図４は、高さ調整を説明する図である。ディスプレイ用スタンド１の取付対象であるテーブル９１は、高さが一定とは限らないことから、テーブル固定部２０の上板部２１の高さがテーブル９１の高さと一致しない場合がある。図１（ｂ）に示したように、テーブル固定部２０は、ネジ孔２２ａが固定板１１ｅの長孔１１ｆと対面する範囲内で、上下方向に、すなわち高さ調整が可能となる。ネジ５１を緩めた状態で、テーブル固定部２０の上板部２１をテーブル９１と同一高さに調整して、再度ネジ締めを行うことで、取り付け可能となる。高さ調整が終了した状態で、ディスプレイ用スタンド１を移動させてテーブル固定部２０をテーブル９１に差し込み、その状態で、摘み部３２を回して締め付けを行えばよい。
【００２８】
図５は、本発明の第２実施形態に係るディスプレイ用スタンドの構成図である。第２実施形態では、脚部１１０は、柱状体１１１で構成されている。柱状体１１１は、側面視では、図１と同様傾斜して立直されている。図５（ｄ）の平面図に示すように、柱状体１１１の下端部にキャスタ１２が設けられ、さらに、下端から柱状体１１１と逆側に床ＦＬに沿って延びる二股の足部１１３が設けられている。
【００２９】
柱状体１１１は、テーブル固定部２０の連結板部２２と対応する高さ位置で、取付部１５０を介して連結板部２２に取付け取り外し可能にされている。取付部１５０は、連結板部２２に対向する板状体１５１を備えている。板状体１５１の左右の中間位置には、上下に凹条を形成する屈曲部１５２が形成され、その左右両側に取付孔１５３が形成されている。板状体１５１は、ネジを取付孔１５３を締め付けて連結板部２２に取付けられる。さらに、屈曲部１５２には雌ネジが形成されたネジ孔が形成されており、柱状体１１１を屈曲部１５２の凹条に嵌め込んだ状態で、このネジ孔に前記のネジ５１を螺着することで、柱状体１１１、すなわち脚部１１０がテーブル固定部２０に取付けられる。
【００３０】
図５（ａ），（ｃ）では、二股の足部１１３は、テーブル９１の下スペースに入り込んで、ユーザの足の置き場所を制限する。そこで、ディスプレイ用スタンドをテーブル９１に取り付けた状態で、屈曲部１５２に螺着されているネジ５１を緩めて、柱状体１１１を、図５（ｂ）のように、例えば９０度左回転することで、足部１１３の位置をディスプレイＤの直ぐ真下付近に変更する（図５（ｂ）に一点鎖線で示す）ことで、ディスプレイ横に座るメンバーの足の置き場を確保できるようにしている。９０度以上、例えば反対側まで回転させることも可能である。
【００３１】
図６は、ディスプレイＤとテーブル９１との位置関係を説明する図で、（ａ）はディスプレイＤが通常位置にある場合、（ｂ）はディスプレイＤがテーブル９１の端側に寄せられた場合である。図６では、上板部２１はその一部が厚さ方向に２段階で切り欠かれている。下段側となる１段目は切欠２１ａであり、２段目は、その上段側で切欠２１ａより小形の切欠２１ｂである。また、ディスプレイ支持部４０の基板部４１は、上下方向の貫通孔４１ａと、上面側に所要厚の、例えば円形凹部４１ｂが穿設されている。
【００３２】
変更部６０は、上板部２１と基板部４１とに係合して、テーブル９１に対するディスプレイＤの取り付け位置を変更可能にする。変更部６０は、貫通孔４１ａ及び切欠２１ｂを貫通する、表面にネジが形成された軸部６１と、軸部６１の上部に螺着可能にされ、雌ネジが形成された操作摘み部６２と、軸部６１の下部のスライド部材６３とを備えている。操作摘み部６２の下部には、円形凹部４１ｂに嵌合した押圧板６４が配設されている。
【００３３】
スライド部材６３は、切欠２１ａに係合している。スライド部材６３は、切欠２１ａの範囲内で、図６の左右方向に移動可能にされている。切欠２１ｂは、スライド部材６３が移動する範囲内で、軸部６１が移動できるように穿設されたものである。
【００３４】
上記構成において、図６（ａ）に回転を示す矢印で示すように、操作摘み部６２を緩めると、押圧板６４と円形凹部４１ｂとの間の押し付け力がなくなり、基板部４１は、破線の矢印で示すように、右方に（又は左方に）移動可能な状態となる。そこで、基板部４１を、図６（ｂ）のように右側に移動させて、すなわちディスプレイＤをテーブル９１の右端に寄せた状態で、操作摘み部６２を締め付けると、基板部４１が上板部２１に固定される。この結果、テーブル９１の上面は、図６（ａ）に比して、より広くなり、有効スペースがより確保されることになる。
【００３５】
また、図７に示すように、操作摘み部６２を緩めた状態で、基板部４１を軸部６１周りに旋回させることで、ディスプレイＤの適宜な方向への首振りが可能となる。図７（ａ）は、例えば図６（ａ）に示すような通常姿勢の状態である。図７（ｂ）は、図７（ａ）から、基板部４１を右方向に９０度旋回させた状態であり、図７（ｃ）は、逆に左方向に９０度旋回させた状態である。このようにディスプレイＤを水平方向の所要の方向に向けることが可能となる。
【００３６】
図８は、本発明の第３実施形態に係るディスプレイ用スタンドの構成図である。第３実施形態では、図８（ａ）に示すように、ディスプレイ支持部１４０は、基板部１４１と支持部１４２とを備えている。支持部１４２は、上部側にディスプレイＤとの公知の係合形状を備えると共に、側面視で曲線形状をなす、１枚の板材で、あるいは左右一対の板材乃至はパイプ材等で構成され、下端側が基板部１４１に取り付けられている。また、図８（ｂ）に示すように、固定板１１ｅには、３本の長孔１１ｆが穿設されており、各長孔１１ｆには上下２個ずつのネジ５１が取り付けられている。
【００３７】
図９は、テーブル９１への固定操作部材の他の実施形態を示す構造図である。図９に示す固定操作部材１３０は、トグルクランプ型のロック部材で、テーブル固定部２０の適所、例えば上板部２１の一端の下部に取り付けられている。固定操作部材１３０は、操作レバー１３１と作用部１３２とを備え、その間にクランプ機構を備えている。操作レバー１３１を基端の軸周りに回動操作することで、作用部１３２がテーブル９１の下面に対して押圧力を作用させ、あるいは解除させる。固定操作部材１３０は、操作レバー１３１の回動角度が、作用部１３２がテーブル９１下面に当接近傍位置で中立点を越えると、公知のようにバネ等（図略）によってテーブル９１側への作用力が維持される構成とされている。
【００３８】
なお、固定操作部材は、固定操作部材３０，１３０の他に、着脱可能構造であれば、種々の締結部材が採用可能である。
【００３９】
図１０は、本発明のディスプレイ用スタンドの変形例を示す側面図である。図１０（ａ）は、スタンド部１０の高さ方向の適所であって、通常のテーブル９１よりは低い位置に、電源コード８１が接続された、パーソナルコンピュータ用の制御部８２が取り付けられている。制御部８２が配備されているため、いつでもパーソナルコンピュータを利用してのミーティングが可能となる。また、図１０（ｂ）は、電源コード８１を経て、携帯型情報処理端末８３を利用可能にしている。携帯型情報処理端末８３に備えられた近距離通信部とディスプレイＤに備えられた近距離通信部とを介して互いに情報通信を可能にしている。
【００４０】
前記実施形態では、ディスプレイＤの画面を垂直面上で変更する構成が備えられていないが、第４実施形態として、例えば基板部４１，１４１にチルト機構を設けて、上板部２１に対して基板部４１，１４１の傾斜角度が変更可能な構成としてもよい。
【００４１】
また、前記実施形態では、固定操作部材として摘みを回動操作し、またトグルクランプ型を利用してテーブル固定部２０とテーブル９１との締結を行うようにしたが、操作レバーを回動操作するだけでロックとその解除とを行う、公知の各種ロック部材を採用してもよい。
【００４２】
なお、前記実施形態では、テーブル固定部２０をテーブル９１の上限側から挟持して固定したが、これに限らず、例えばテーブル９１と脚９２とを利用して固定する態様としてもよい。
【００４３】
また、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００４４】
１  ディスプレイ用スタンド
１０  スタンド部
１１  脚部
１２  キャスタ
１３  足部
２０  テーブル固定部
３０，１３０  固定操作部材
４０  ディスプレイ支持部
５０，１５０  取付部（取付部材）
５１  ネジ（取付け部材）
６０  変更部
９１  テーブル
Ｄ  ディスプレイ
【図１】
2018097041.tif 000003
【図２】
2018097041.tif 000004
【図３】
2018097041.tif 000005
【図４】
2018097041.tif 000006
【図５】
2018097041.tif 000007
【図６】
2018097041.tif 000008
【図７】
2018097041.tif 000009
【図８】
2018097041.tif 000010
【図９】
2018097041.tif 000011
【図１０】
2018097041.tif 000012